(57)【要約】【課題】  ユーザが設定した床暖房による温もり感を損なうことなく、省エネルギー化を実現させ得る温水式床暖房装置を提供する。【解決手段】  エコ選択スイッチからの選択指令があっても、ユーザが設定した設定温度に対応する目標制御温度αに基づく温水供給を行うことにより、まずは室内の床暖房温度をユーザが設定した設定温度Ｔｓまで上昇させ、設定時間Ｓ１が経過するまで持続させる。その後、目標制御温度をαからα−１まで所定量低く切換え、目標制御温度α−１に基づく温水供給を行う。これにより、床暖房温度がＴｓ′に低下する。これを設定時間Ｓ２が経過するまで持続し、さらに、目標制御温度をα−１からα−２まで低く切換え、目標制御温度α−２に基づく温水供給を行う。これにより、床暖房温度がＴｓ″に低下する。【選択図】      図３
2013155916.tif 000002
【特許請求の範囲】
【請求項１】
加熱源を有する温水供給源から床暖房端末に対し熱源としての温水を循環供給して放熱させることで前記床暖房端末が設置された空間を暖房するための暖房運転が行われるように構成され、床暖房度合を入力設定する床暖房設定手段と、この床暖房設定手段に入力された床暖房度合に基づいて暖房運転制御を実行する床暖房制御手段とを備えてなる温水式床暖房装置において、
前記床暖房制御手段は、前記床暖房設定手段により設定された床暖房度合を目標値とする初期運転制御を実行し、設定床暖房度合の暖房運転が満たされた後に、設定床暖房度合よりも所定量低い床暖房度合を目標値とするエコ運転制御に切換えて実行するように、構成されている
ことを特徴とする温水式床暖房装置。
【請求項２】
請求項１に記載の温水式床暖房装置であって、
前記床暖房制御手段は、前記設定床暖房度合の暖房運転が満たされた状態で設定時間が経過すれば、前記エコ運転制御を実行するように、構成されている、温水式床暖房装置。
【請求項３】
請求項２に記載の温水式床暖房装置であって、
前記空間の外部環境の温度を検出する外気温センサを備え、
前記床暖房制御手段は、前記設定時間を、前記外気温センサの検出温度の高低如何に基づいて変更するように構成されている、温水式床暖房装置。
【請求項４】
請求項２に記載の温水式床暖房装置であって、
前記空間の内部環境の温度を検出する室温センサを備え、
前記床暖房制御手段は、初期運転制御の実行の際の前記室温センサの検出温度を記憶する一方、前記設定時間を、前記記憶された検出温度の高低如何に基づいて変更するように構成されている、温水式床暖房装置。
【請求項５】
請求項１〜請求項４のいずれかに記載の温水式床暖房装置であって、
前記床暖房制御手段は、エコ運転制御として前記目標値まで床暖房度合を連続的に低く変更するように構成されている、温水式床暖房装置。
【請求項６】
請求項１〜請求項４のいずれかに記載の温水式床暖房装置であって、
前記床暖房制御手段は、エコ運転制御として前記目標値まで床暖房度合を段階的に低く変更するように構成されている、温水式床暖房装置。
【請求項７】
請求項１〜請求項６のいずれかに記載の温水式床暖房装置であって、
前記床暖房制御手段は、前記エコ運転制御の実行を選択する選択指令の出力を受けて、初期運転制御からエコ運転制御に切換えるように構成されている、温水式床暖房装置。
【発明の詳細な説明】
【技術分野】
【０００１】
本発明は、温水式床暖房装置に関し、特にユーザの暖かいと感じる温もり感を担保しつつ省エネルギー化を実現し得る技術に係る。
【背景技術】
【０００２】
従来、温水式床暖房装置として、例えば特許文献１において、ユーザが設定した設定室温になるように床暖房端末に対する温水供給を制御する手法が提案されている。具体的には、ユーザが設定した設定室温と、そのときの室温センサの検出温度との温度差の程度に応じて放熱量レベルを設定し、この設定放熱量レベルに応じてバーナ加熱量を制御するとともに、前記設定レベルに応じて床暖房端末への温水供給のための開閉弁の開弁時間を制御する、というものである。
【先行技術文献】
【特許文献】
【０００３】
【特許文献１】特開２００３−３０２０６７号公報
【発明の概要】
【発明が解決しようとする課題】
【０００４】
ところで、省エネルギー化の要請を受けて、温水式床暖房装置においても省エネルギー化を目指した運転制御の開発への取り組みが行われている。例えば、室内温度センサを備えていない構成の場合、ユーザが設定した暖房段数（例えば１〜９段階に予め設定された暖房の強弱度合の内から選択・設定した段数）が例えば「４」であったとしても、暖房運転制御の目標値として「４」から１段階下げた「３」を変更設定し、３段に相当する熱量供給となるように、控え目運転制御を実行する、というものが考えられる。この場合、通常の暖房運転制御を実行したときの４段に相当する熱量供給と、控え目運転制御を実行したときの３段に相当する熱量供給との熱量差の分だけ、具体的にはその熱量差に相当する分の燃料量だけ、省エネルギー化が図り得ることになる。かかる控え目運転制御としては、暖房段数の代わりに暖房温度に基づいて暖房運転制御を行う場合にも同様に行い得る。すなわち、ユーザが床暖房のために設定した設定温度よりも所定温度（例えば１度）分だけ低い温度値を暖房運転制御の目標値として変更設定し、その低く変更された目標温度になるように熱量供給制御を実行する、ことになる。
【０００５】
しかしながら、この場合には、ユーザは４段又は設定温度に相当する暖かみ（温もり感）を期待して暖房段数又は設定温度の設定を行ったにも拘わらず、それが体感として得られないことになる。このため、ユーザとしては、省エネルギー化のためにと考えて我慢するか、本来の４段又は設定温度に相当する温もり感を得るために、暖房段数をもう１段上げて５段にしたり設定温度をより高く設定し直したりするか、という行動を取ってしまうことになると考えられる。
【０００６】
本発明は、このような事情に鑑みてなされたものであり、その目的とするところは、ユーザが設定した床暖房による温もり感を損なうことなく、省エネルギー化を実現させ得る温水式床暖房装置を提供することにある。
【課題を解決するための手段】
【０００７】
上記目的を達成するために、本発明では、加熱源を有する温水供給源から床暖房端末に対し熱源としての温水を循環供給して放熱させることで前記床暖房端末が設置された空間を暖房するための暖房運転が行われるように構成され、床暖房度合（床暖房度合の詳細については後述）を入力設定する床暖房設定手段と、この床暖房設定手段に入力された床暖房度合に基づいて暖房運転制御を実行する床暖房制御手段とを備えてなる温水式床暖房装置を対象にして、次の特定事項を備えることとした。すなわち、前記床暖房制御手段として、前記床暖房設定手段により設定された床暖房度合を目標値とする初期運転制御を実行し、設定床暖房度合の暖房運転が満たされた後に、設定床暖房度合よりも所定量低い床暖房度合を目標値とするエコ運転制御に切換えて実行する構成とすることとした（請求項１）。
【０００８】
本発明の場合、エコ運転制御が実行される場合であっても、まずは初期運転制御によってユーザが意図して入力設定した床暖房度合まで暖房運転が行われ、これにより、床暖房端末が設置された空間をユーザが意図する床暖房度合まで暖房されるため、ユーザが意図する暖かさ（温もり感）を体感させて、満足感を与えることが可能となる。一方、その後は、設定床暖房度合を所定量下げた床暖房度合を目標値とするエコ運転制御の実行によって、省エネルギー化を確実に実現させることが可能となる。以上により、ユーザの意図する温もり感を担保しつつ、省エネルギー化をも担保することが可能となる。
【０００９】
本発明の床暖房制御手段として、前記設定床暖房度合の暖房運転が満たされた状態で設定時間が経過すれば、前記エコ運転制御を実行する構成とすることができる（請求項２）。このようにすることにより、床暖房端末が設置された空間をユーザが意図する床暖房度合まで暖房された状態を設定時間の間に亘り持続させた上で、エコ運転制御に切換わるため、ユーザが意図する暖かさ（温もり感）を体感させてユーザに満足感を与えることを、より確実に担保することが可能となる。
【００１０】
この場合、前記の設定時間を固定時間値とはせずに、次のように環境温度の如何によって変更設定することもできる。すなわち、前記空間の外部環境の温度を検出する外気温センサを備えることとし、前記床暖房制御手段として、前記設定時間を、前記外気温センサの検出温度の高低如何に基づいて変更する構成とすることができる（請求項３）。例えば、前記設定時間を、前記外気温センサの検出温度が高ければ短く、低ければ長く変更するように構成することができる。あるいは、前記空間の内部環境の温度を検出する室温センサを備えることとし、前記床暖房制御手段として、初期運転制御の実行の際の前記室温センサの検出温度を記憶する一方、前記設定時間を、前記記憶された検出温度の高低如何に基づいて変更する構成とすることができる（請求項４）。例えば、前記設定時間を、前記室温センサの検出温度が高ければ短く、低ければ長く変更するように構成することができる。このようにすることにより、外部環境や内部環境の温度如何に応じてユーザが体感する温もり感も変化するという特性に合致させることができ、ユーザが意図する暖かさ（温もり感）を体感させてユーザに満足感を与えるという作用を、より一層確実に担保することが可能となる。
【００１１】
又、前記床暖房制御手段におけるエコ運転制御として、前記目標値まで床暖房度合を連続的に低く変更する構成としたり（請求項５）、あるいは、前記目標値まで床暖房度合を段階的に低く変更する構成としたり（請求項６）、することができる。このようにすることにより、目標値まで床暖房度合を一気に低く変更する場合に比べ、ユーザが体感する室温変化が緩やかになり、ユーザに室温変化を気付かせずに温もり感を維持させることが可能となり、併せて、より大きな省エネルギー化を達成することが可能となる。この場合、連続的に低く変更する場合の方が、段階的に低く変更する場合に比べ、ユーザに室温変化を気付かせずに温もり感を維持させるという作用を、より効果的に得ることが可能となる。
【００１２】
さらに、本発明の温水式床暖房装置における床暖房制御手段として、前記エコ運転制御の実行を選択する選択指令の出力を受けて、初期運転制御からエコ運転制御に切換える構成とすることができる（請求項７）。このようにすることにより、ユーザ自身の選択に基づいてエコ運転制御を実行するか否かを切換えることが可能となり、ユーザの都合を優先させた省エネルギー化を実現させ得ることになる。
【発明の効果】
【００１３】
以上、説明したように、本発明の温水式床暖房装置によれば、エコ運転制御が実行される場合であっても、まずは初期運転制御によってユーザが意図する設定床暖房度合まで暖房運転が行われ、これにより、床暖房端末が設置された空間をユーザが意図する床暖房度合まで暖房することができるため、ユーザが欲する暖かさ（温もり感）を確実に体感させて、満足感を与えることができる。一方、その後は、設定床暖房度合を所定量下げた床暖房度合を目標値とするエコ運転制御が実行されるため、省エネルギー化を確実に実現させることができるようになる。以上により、ユーザの意図する温もり感を担保しつつ、省エネルギー化をも担保することができるようになる。
【００１４】
特に、請求項２によれば、床暖房制御手段として、設定床暖房度合の暖房運転が満たされた状態で設定時間が経過すれば、エコ運転制御を実行する構成とすることで、床暖房端末が設置された空間をユーザが意図する床暖房度合まで暖房された状態を設定時間の間に亘り持続させることができ、その上で、エコ運転制御に切換えるようにしているため、ユーザが意図する暖かさ（温もり感）を体感させてユーザに満足感を与えることを、より確実に担保することができる。
【００１５】
又、請求項２の設定時間を、外気温センサの検出温度の高低如何に基づいて変更する構成とする請求項３によれば、あるいは、請求項２の設定時間を、室温センサの検出温度の高低如何に基づいて変更する構成とする請求項４によれば、外部環境や内部環境の温度如何に応じてユーザが体感する温もり感も変化するという特性に合致させることができ、ユーザが意図する暖かさ（温もり感）を体感させてユーザに満足感を与えるという効果を、より一層確実に担保することができるようになる。
【００１６】
又、請求項５によれば、床暖房制御手段におけるエコ運転制御として、目標値まで床暖房度合を連続的に低く変更する構成とすることで、あるいは、請求項６によれば、床暖房制御手段におけるエコ運転制御として、目標値まで床暖房度合を段階的に低く変更する構成とすることで、目標値まで床暖房度合を一気に低く変更する場合に比べ、ユーザが体感する室温変化を緩やかにすることができ、ユーザに室温変化を気付かせずに温もり感を維持させることができる。併せて、より大きな省エネルギー化を達成することもできるようになる。この場合、連続的に低く変更する請求項５の場合の方が、段階的に低く変更する請求項６の場合に比べ、ユーザに室温変化を気付かせずに温もり感を維持させるという効果を、より大きく得ることができる。
【００１７】
さらに、請求項７によれば、床暖房制御手段として、エコ運転制御の実行を選択する選択指令の出力を受けて、初期運転制御からエコ運転制御に切換える構成とすることで、ユーザ自身の選択に基づいてエコ運転制御を実行するか否かを切換えることができ、ユーザの都合を優先させた省エネルギー化を実現させることができるようになる。
【図面の簡単な説明】
【００１８】
【図１】本発明の実施形態に係る温水式床暖房装置の模式図である。
【図２】図１の温水式床暖房装置の第１実施形態の制御構成に係るブロック図である。
【図３】本実施形態のエコ運転制御による、時間と床暖房温度等との関係図である。
【図４】図１の温水式床暖房装置の第２実施形態の制御構成に係るブロック図である。
【発明を実施するための形態】
【００１９】
以下、本発明の実施形態を図面に基づいて説明する。
【００２０】
図１は、本発明の実施形態に係る温水式床暖房装置の模式図である。この温水式床暖房装置は、温水供給源である熱源機２から延びる温水循環路３を通して床暖房端末である床暖房パネル４に対し所定の温水を循環供給し、その床暖房パネル４で放熱させることで、床暖房パネル４が設置された部屋（空間）の暖房を行うものである。そして、このような暖房のための運転制御が、前記部屋に配設された床暖房リモコン５ａ又は５ｂと、前記熱源機２に内蔵された熱源機コントローラ２１との相互通信に基づき実現されるようになっている。これら床暖房リモコン５ａ又は５ｂと、熱源機コントローラ２１との組み合わせによって、床暖房制御手段が構成されている。以下、床暖房リモコン５ａが室温センサ５５を備える場合を第１実施形態で示し、床暖房リモコン５ｂが室温センサ５５を備えないもので構成される場合（図１の図例は室温センサ５５を備える場合）を第２実施形態で示す。なお、第１実施形態と第２実施形態とは、室温センサ５５の有無の点で異なるだけで、その他の構成要素は互いに同じであるため、同一の構成要素には同一の符号を付して重複する詳細説明を省略している。
【００２１】
熱源機２は、通常は室外の所定位置（建物の外壁又は給湯器室の壁）に設置され、温水循環路３により室内の床暖房パネル４と接続されている。かかる熱源機２は、加熱源として図示省略の燃焼バーナや膨張タンク等に加え、温水循環配路３の内の熱源機内の流路に介装された温水供給切換弁２２や循環ポンプ２３を備えたものである。温水供給切換弁２２は例えば熱動弁により構成されている。温水循環路３は、熱源機２内の前記流路に加え、この流路に連通されて屋外から建物の壁６を貫通して部屋内の床暖房パネル４まで配管されることにより形成される流路からなるものであり、機能別に分けると、熱源機２から熱源用の温水を湯床暖房パネル４に供給するための往き路３１と、床暖房パネル４での放熱により温度低下した温水を熱源機２に戻すための戻り路３２とからなるものである。床暖房パネル４は温水を循環供給させるための温水流路４１が埋め込まれたもので、その温水流路４１の入口に前記の往き路３１の下流端が接続され、出口に戻り路３２の上流端が接続されている。従って、熱源機コントローラ２１により温水供給切換弁２２が開切換され循環ポンプ２３が作動されると、熱源機２から温水が温水循環路３の往き路３１を通して床暖房パネル４に供給され、床暖房パネル４内を通過する間に放熱し、そして、放熱により温度低下した温水が戻り路３２を通して熱源機２に戻されるというように、温水の循環供給が行われることになる。つまり、熱源機２から供給される温水を床暖房パネル４で放熱させる熱源として用い、その温水温度の変更や、温水供給の継続時間の変更により床暖房パネル４における放熱量（供給する温水に基づく熱量）を変更し得るようになっている。
＜第１実施形態＞
【００２２】
床暖房リモコン５ａは、床暖房設定手段としても機能するものであり、液晶等の表示部５１，運転スイッチ５２，エコ選択スイッチ５３，段数設定入力部５４，及び，床暖房パネル４が設置された部屋内の室内温度（内部環境の温度）を検出する室温センサ５５に加え、図２に示すように、通常運転制御を実行する床暖房制御部５６ａや、エコ運転制御を実行するエコ運転制御部５７ａを備えている。段数設定入力部５４は、アップ・ダウン操作スイッチ５４１を操作することで、床暖房度合を表す複数段階の段数（例えば１−９の段数；段数が大きいほど強い床暖房を表す）を表示する段数表示５４２から所望の段数を選択すれば、その段数が設定入力されることになる。そして、設定入力された段数に基づいて後述の暖房運転制御が実行されることになる。床暖房制御部５６ａには、前記の９段階の段数毎に対応する設定温度が予め関係付けられて記憶設定されており、後述の暖房運転制御ではユーザが入力設定した段数に対応する設定温度が割り出され、割り出された設定温度に基づいて運転制御が実行されることになる。
【００２３】
ユーザが段数設定入力部５４で所望の段数を設定した上で運転スイッチ５２をＯＮ操作することで、エコ選択スイッチ５３がＯＮ操作されていない限り、床暖房制御部５６ａによる通常運転制御が開始される。すなわち、まず、室温センサ５５により検出される検出室温を一時記憶する一方、前記の設定温度と前記検出室温との温度差に対応する目標制御温度を設定し、設定された目標制御温度に係る制御信号を熱源機コントローラ２１に送出する。この目標制御温度が床暖房度合を表すものである。なお、前記の温度差に基づき目標制御温度を設定するには、例えば前記の温度差の大小如何に応じて目標制御温度を予め設定した目標制御温度テーブルを記憶格納しておき、この目標制御温度テーブルから読み出すようにすればよい。
【００２４】
熱源機コントローラ２１は、床暖房リモコン５ａから送出された種々の制御指令に基づいて、燃焼バーナ等からなる燃焼系２４，温水供給切換弁２２及び循環ポンプ２３を作動制御すると共に、温水温度に関する情報を床暖房リモコン５ａに送出する。これにより、所定温度の温水が所定の制御周期で間欠的に床暖房パネル４に対し循環供給され、床暖房パネル４からの放熱によって室温が設定温度まで上昇され、設定温度での暖房状態が維持されることになる。このような熱源機２からの温水供給により床暖房パネル４から所定の放熱量の放熱を実現させるための制御の一例を挙げると、複数種類の温度の温水（例えば６０℃の低温水と７２℃の高温水との２種類の温水）を用いる場合であれば、床暖房リモコン５ａには目標制御温度毎に、供給される温水温度と、温水供給切換弁２２の制御周期（例えば２０分周期）毎の開弁継続時間との組み合わせが予め設定され、この組み合わせに基づき熱源機コントローラ２１との通信により熱源機２の作動制御が実行される。具体制御例としては、床暖房リモコン５ａは、設定された目標制御温度と、熱源機コントローラ２１から供給される現実の温水温度に係る情報とに基づいて、その温水温度に対する制御周期毎の開弁継続時間（例えば２０分の制御周期の内の１７分）を設定し、熱源機コントローラ２１に対して、制御周期毎に、熱源機２の運転ＯＮ指令、温水供給切換弁２２の開弁指令及び閉弁指令などを送出する。熱源機コントローラ２１は床暖房リモコン５ａから送出される熱源機２の運転ＯＮ指令、温水供給切換弁２２の開弁指令及び閉弁指令などに基づいて、燃焼運転のＯＮ・ＯＦＦ、温水供給切換弁２２の開閉切換、循環ポンプ２３のＯＮ・ＯＦＦを制御する。以上の熱源機コントローラ２１による作動制御は第２実施形態においても同様である。
【００２５】
以上の通常運転制御の場合、図３に符号Ｎで例示するように、床暖房リモコン５ａに入力設定された段数（設定温度Ｔｓ）に対応する目標制御温度αに基づいて床暖房制御部５６ａによる通常運転制御が開始されると、床暖房パネル４に循環供給される温水からの放熱によって床暖房温度（正確には室温センサ５５により検出される検出室温）が徐々に上昇し、運転制御開始から経過時間ｔ０のときに設定温度Ｔｓまで上昇し、以後、この設定温度Ｔｓが維持されることになる。
【００２６】
一方、エコ選択スイッチ５３がＯＮ操作されていれば、その操作信号（エコ運転制御の実行を選択する選択指令）の出力を受けて、エコ運転制御部５７ａから切換信号が床暖房制御部５６ａに出力され、これにより、床暖房制御部５６ａによる通常運転制御がその制御開始から前記の床暖房温度が設定温度Ｔｓまで上昇するまでの初期の間だけ継続され、その後はエコ運転制御部５７ａによるエコ運転制御に切換えられることになる。つまり、まず、床暖房制御部５６ａによる通常運転制御が初期運転制御として実行され、次に、エコ運転制御部５７ａによるエコ運転制御に切換えられてエコ運転制御が実行されることになる。具体的には、図３に符号Ｅで例示するように、床暖房制御部５６ａによる初期運転制御が目標制御温度αに基づいて実行され、これにより、床暖房温度が設定温度Ｔｓに到達したことを室温センサ５５によって検出されてから設定時間Ｓ１（例えば３０分）が経過すれば、この時点（経過時間ｔ１）で目標制御温度αを所定温度（例えば１℃）だけ低くした目標制御温度α−１に切換え、この目標制御温度α−１に対応した温水の間欠供給に変更する。例えば、前記の具体制御例に従うと、温水供給切換弁２２の制御周期（２０分）の内の開弁継続時間を１７分から１５分に減少し、閉弁継続時間を３分から５分に増加するように切換える。この切換により、床暖房温度はＴｓから所定温度値だけ低いＴｓ′に変化する。前記の目標制御温度α−１がエコ運転制御部５７ａによる最終目標値であれば、この目標制御温度α−１に基づく温水供給を継続することになり、床暖房温度もＴｓ′のままで経過することになる。
【００２７】
一方、エコ運転制御部５７ａによる最終目標値（下限目標値）が前記の目標制御温度α−１よりもさらに１段階低い（例えばさらに１℃分低い）α−２であれば、床暖房温度Ｔｓ′を設定時間Ｓ２だけ継続した時点（経過時間ｔ２）で、目標制御温度をα−１からα−２に切換え、この目標制御温度α−２に対応した温水の間欠供給に変更する。例えば、前記の具体制御例に従うと、温水供給切換弁２２の制御周期（２０分）の内の開弁継続時間を１５分から１３分に減少し、閉弁継続時間を５分から７分に増加するように切換える。この切換により、床暖房温度はＴｓ′から所定温度値だけ低いＴｓ″に変化する。
【００２８】
以上の第１実施形態では、エコ選択スイッチ５３によりエコ運転制御が選択された場合であっても、まずは初期運転制御によってユーザが意図する設定温度Ｔｓまで室内を上昇させることができ、しかも、その設定温度Ｔｓの室温状態を設定時間Ｓ１の間に亘り持続させているため、ユーザが意図する暖かさ（温もり感）を体感させて、満足感を与えることができる。一方、設定時間Ｓ１の経過後は、目標制御温度が下げられることで省エネルギー化を確実に実現させることができる。以上により、ユーザの意図する温もり感を担保しつつ、省エネルギー化をも担保することができることになる。その上に、最終の目標制御温度α−２まで、当初の目標制御温度αからα−１へ、そしてα−１からα−２へと段階的に下げているため、ユーザに室温変化をあまり気付かせずに温もり感を維持させつつ、大きな省エネルギー化を達成することができるようになる。
【００２９】
＜第２実施形態＞
第２実施形態の床暖房リモコン５ｂも、床暖房設定手段としても機能する点で第１実施形態と同様であり、室温センサ５５を備えていない点で異なる構成となっている。すなわち、床暖房リモコン５ｂは、液晶等の表示部５１，運転スイッチ５２，エコ選択スイッチ５３，及び，段数設定入力部５４に加え、図４に示すように、通常運転制御を実行する床暖房制御部５６ｂや、エコ運転制御を実行するエコ運転制御部５７ｂを備えている。床暖房制御部５６ｂには、段数設定入力部５４により選択設定される対象の９段階の段数毎に対応する設定放熱量が予め関係付けられて記憶設定されており、暖房運転制御ではユーザが入力設定した段数に対応する設定放熱量が割り出され、割り出された設定放熱量に基づいて運転制御が実行されることになる。なお、以下では、図３中の「α」が第１実施形態の目標制御温度とは異なり目標制御放熱量を表す記号であり、「Ｔｓ」が第１実施形態の設定温度とは異なり単なる床暖房温度の特性値を表す記号であるとして説明する。
【００３０】
ユーザが段数設定入力部５４で所望の段数を設定した上で運転スイッチ５２をＯＮ操作することで、エコ選択スイッチ５３がＯＮ操作されていない限り、床暖房制御部５６ｂによる通常運転制御が開始される一方、エコ選択スイッチ５３がＯＮ操作されていれば、床暖房制御部５６ｂによる通常運転制御が初期運転制御として実行された後にエコ運転制御部５７ｂによるエコ運転制御に切換えられる。
【００３１】
エコ選択スイッチ５３がＯＮ操作されていない場合には、前記のユーザ設定に係る設定放熱量を目標制御放熱量として設定し、設定された目標制御放熱量に係る制御信号を熱源機コントローラ２１に送出する。そして、この第２実施形態の通常運転制御の場合（図３の符号Ｎ参照）、床暖房リモコン５ｂに入力設定された段数（設定放熱量）に対応する目標制御放熱量αに基づいて床暖房制御部５６ｂによる通常運転制御が開始されると、床暖房パネル４に循環供給される温水からの放熱によって床暖房温度（第２実施形態の場合、図３の床暖房温度は室温変化の特性を示す）が徐々に上昇し、運転制御開始から経過時間ｔ０のときに前記設定放熱量に対応する温度Ｔｓまで上昇し、以後、この温度Ｔｓが維持されることになる。
【００３２】
一方、エコ選択スイッチ５３がＯＮ操作されている場合には、その操作信号の出力を受けて、エコ運転制御部５７ｂから切換信号が床暖房制御部５６ｂに出力され、これにより、床暖房制御部５６ｂによる通常運転制御がその制御開始から前記の設定放熱量に対応する目標制御放熱量αに基づいて開始され、これが前記設定放熱量に対応する温度Ｔｓまで上昇するまでの初期の間だけ継続され、その後はエコ運転制御部５７ｂによるエコ運転制御に切換えられることになる。具体的には、図３に符号Ｅで例示するように、床暖房制御部５６ｂによる初期運転制御が目標制御放熱量αに基づいて開始され、これにより、床暖房温度が設定放熱量に対応する温度Ｔｓに到達して設定時間Ｓ１（例えば３０分）だけ持続することになる、制御開始からの経過時間として予め設定された経過時間Ｓ０が経過すれば、この時点（経過時間ｔ１）で目標制御放熱量αを所定量だけ低くした目標制御放熱量α−１に切換え、この目標制御放熱量α−１に対応した温水の間欠供給に変更する。この場合も第１実施形態と同様に、例えば、温水供給切換弁２２の制御周期（２０分）の内の開弁継続時間を所定時間減少し、閉弁継続時間を所定時間増加するというように切換えればよい。この切換により、床暖房温度はＴｓから所定温度値だけ低いＴｓ′に変化する。
【００３３】
一方、エコ運転制御部５７ｂによる最終目標値（下限目標値）が前記の目標制御放熱量α−１よりもさらに１段階低いα−２であれば、目標制御放熱量をαからα−１に切換えた時点（経過時間ｔ１）から設定時間Ｓ２だけ経過した時点（経過時間ｔ２）で、目標制御放熱量をα−１からα−２に切換え、この目標制御放熱量α−２に対応した温水の間欠供給に変更する。この場合も、例えば、温水供給切換弁２２の制御周期（２０分）の内の開弁継続時間をより減少し、閉弁継続時間をより増加するように切換えればよい。この切換により、床暖房温度はＴｓ′から所定温度値だけ低いＴｓ″に変化することになる。
【００３４】
以上の第２実施形態においても第１実施形態と同様に作用効果を得ることができる。すなわち、エコ選択スイッチ５３によりエコ運転制御が選択された場合であっても、まずは初期運転制御によってユーザが意図する温度Ｔｓまで室内を上昇させることができ、しかも、その温度Ｔｓの室温状態が設定時間Ｓ１の間に亘り持続されるため、ユーザが意図する暖かさ（温もり感）を体感させて、満足感を与えることができる。一方、設定時間Ｓ０の経過後は、目標制御放熱量が下げられることで省エネルギー化を確実に実現させることができる。以上により、ユーザの意図する温もり感を担保しつつ、省エネルギー化をも担保することができることになる。その上に、最終の目標制御放熱量α−２まで、当初の目標制御放熱量αからα−１へ、そしてα−１からα−２へと段階的に下げているため、ユーザに室温変化をあまり気付かせずに温もり感を維持させつつ、大きな省エネルギー化を達成することができるようになる点についても、第１実施形態と同様である。
【００３５】
＜他の実施形態＞
なお、本発明は前記各実施形態に限定されるものではなく、その他種々の実施形態を包含するものである。すなわち、前記各実施形態で温水供給源として示した熱源機２としては、加熱源として気体（ガス）燃料を燃焼させて加熱する燃焼バーナを用いたものの他に、液体（例えば石油）を燃焼させて加熱する燃焼バーナを用いたものであってもよい。あるいは、温水供給源として、電気ヒータを加熱源として用いたものであってもよい。又、循環供給する温水を加熱源により直接加熱するものの他に、その温水を暖房用熱媒との液−液熱交換により間接加熱するように構成されたものであってよい。さらに、その暖房用熱媒として、太陽熱、ガスエンジン（エンジン冷却水排熱）、燃料電池（冷却水排熱）、あるいは、ヒートポンプ（冷媒の排熱）等の外部熱源を用いて蓄熱・貯湯した湯を用いるように構成された温水供給源であってもよい。
【００３６】
第１実施形態の床暖房制御部５６ａによる通常運転制御が開始される際に室温センサ５５により検出されて一時記憶された検出室温の高低如何に応じて、設定時間Ｓ１，Ｓ１及びＳ２の時間値を変更設定するようにしてもよい。例えば、前記室温センサ５５の検出室温が高ければ設定時間Ｓ１（Ｓ１，Ｓ２）をより短く、検出室温が低ければ設定時間Ｓ１をより長く変更設定する。又、熱源機２の側に備えられている外気温センサの検出温度を熱源機コントローラ２１から通信により床暖房リモコン５ａ，５ｂに受け、この検出外気温の高低如何に応じて、設定時間Ｓ１（Ｓ１，Ｓ２）の時間値を変更設定するようにしてもよい。例えば、前記検出外気温が高ければ設定時間Ｓ１（Ｓ１，Ｓ２）をより短く、検出外気温が低ければ設定時間Ｓ１（Ｓ１，Ｓ２）をより長く変更設定する。第２実施形態の床暖房リモコン５ｂの場合であると、設定時間Ｓ１が長短変更されれば、それに伴い設定時間Ｓ０も必然的に長短変更されることになって、切換タイミングも変更されることになる。さらに、床暖房リモコン５ａ，５ｂがカレンダ機能を備えている場合には、そのカレンダ機能と連係させて設定時間Ｓ１（Ｓ１，Ｓ２）を変更設定するようにしてもよい。例えば、冬期には設定時間Ｓ１（Ｓ１，Ｓ２）をより長く変更設定する一方、冬期以外には設定時間Ｓ１（Ｓ１，Ｓ２）をより短く変更設定するようにしてもよい。なお、カレンダ機能とは、内蔵のタイマと、予め記憶設定された暦とに基づいて、現在の日付を割り出し得る機能のことであり、かかるカレンダ機能に基づいて現時点が冬期に属するか冬期以外に属するかを割り出すことが可能となる。
【００３７】
第１実施形態では下限目標値である目標制御温度α−２まで、αからα−１、α−１からα−２というように段階的に低くし、第２実施形態では下限目標値である目標制御放熱量α−２まで、αからα−１、α−１からα−２というように段階的に低くしているが、これに限らず、αからα−２まで連続的に変化させる、つまり徐々に変化させるようにしてもよい。この場合には、より大きな省エネルギー化を達成する上で、ユーザに室温変化を気付かせずに温もり感を維持させ得るという効果を、段階的に変化させる場合よりも強化することができる。
【００３８】
前記各実施形態では、エコ選択スイッチ５３がユーザによりＯＮ操作されることで、初めてエコ運転制御部５７ａ，５７ｂによるエコ運転制御に途中から切り換えられるようにしているが、これに限らず、エコ選択スイッチ５３による選択的ＯＮ操作の有無に拘わらず、常に初期運転制御の実行後にエコ運転制御に切換えるようにしてもよい。この場合、エコ選択スイッチ５３を省略することが可能となる。
【００３９】
前記実施形態では、床暖房リモコン５ａ，５ｂと、熱源機コントローラ２１との通信により床暖房のための制御を実行させているが、これに限らず、例えば熱源機２用のリモコンに前記の床暖房リモコン５ａ又は５ｂによる制御構成に係る部分を搭載させるようにしてもよい。このようにすることで、床暖房リモコン５ａ，５ｂを別途設ける必要を排し、省略することができる。
【符号の説明】
【００４０】
２          熱源機（温水供給源）
３          温水循環路
４          床暖房パネル（床暖房端末）
５ａ，５ｂ  床暖房リモコン（床暖房設定手段，床暖房制御手段）
２１        熱源機コントローラ（床暖房制御手段）
５４        段数設定入力部（床暖房設定手段）
５５        室温センサ
【図１】
2013155916.tif 000003
【図２】
2013155916.tif 000004
【図３】
2013155916.tif 000005
【図４】
2013155916.tif 000006